(57)【要約】      （修正有）【課題】杖本体を傾動自在な石突き本体において、感覚として高い安定感を与えることができる杖用石突きを提供する。【解決手段】取っ手を有する杖本体に装着され、取っ手に合わせて前後方向が規定される杖用石突き３であって、歩行路面に直接接する石突き本体３１と、杖本体の先端に装着されると共に、石突き本体３１に対し前後方向のみに傾動自在に連結された軸部材３２と、を備え、石突き本体３１は、前後方向に沿って並んだ複数の接面部材６１の組を、杖本体を中心として左右両側に有した。【選択図】図４
0003182126.tif 000002
【実用新案登録請求の範囲】
【請求項１】
取っ手を有する杖本体に装着され、前記取っ手に合わせて前後方向が規定される杖用石突きであって、
地面に直接接する石突き本体と、
前記杖本体の先端に装着されると共に、前記石突き本体に対し前後方向のみに傾動自在に連結された軸部材と、を備え、
前記石突き本体は、前後方向に沿って並んだ複数の接面部の組を、前記杖本体を中心として左右両側に有したことを特徴とする杖用石突き。
【請求項２】
前記石突き本体は、左右一対の内側面部と、左右方向の水平軸を中心とする断面円弧状の底面部と、を備えた係合凹部を有し、
前記軸部材は、前記左右一対の内側面部にそれぞれ当接する左右一対の外側面部と、前記底面部に相補的形状を成す断面円弧状の下面部と、を備えた係合凸部を有することを特徴とする請求項１に記載の杖用石突き。
【請求項３】
前記軸部材の最大傾動角度を、一定の角度に規制する傾動規制部を、さらに備え、
前記傾動規制部は、前記係合凹部の周縁部と、前記係合凸部の上端部に突設されたフランジ部と、により構成されていることを特徴とする請求項２に記載の杖用石突き。
【請求項４】
前記傾動規制部は、前記軸部材の最大傾動角度を、８°以上１２°以下までの一定角度に規制することを特徴とする請求項３に記載の杖用石突き。
【請求項５】
前記軸部材の前記傾動を許容しつつ、前記石突き本体および前記軸部材を連結する連結部材を、さらに備え、
前記連結部材は、前記係合凹部の前記底面部に倣った断面円弧状に形成された湾曲プレートと、
前記底面部に形成された逃げ開口に挿通されると共に、前記湾曲プレートを、前記係合凸部との間で前記係合凹部を挟持するように前記軸部材に着脱自在に連結する連結ピンと、を有することを特徴とする請求項２ないし４のいずれかに記載の杖用石突き。
【請求項６】
前記連結ピンは、前記軸部材の軸心に貫通する軸孔に挿通されており、
前記連結部材は、前記軸部材と前記連結ピンとの間に設けられ、前記軸部材を受けとして、前記連結ピンを引き付ける方向に付勢するばね部材を、さらに有することを特徴とする請求項５に記載の杖用石突き。
【請求項７】
請求項１ないし６のいずれかに記載の杖用石突きと、
先端部が、前記杖用石突きに装着された前記杖本体と、を備えたことを特徴とする杖。
【考案の詳細な説明】
【技術分野】
【０００１】
本考案は、杖本体が傾動自在（首振り自在）となるように、杖本体に装着される杖用石突きおよびこれを備えた杖に関するものである。
【背景技術】
【０００２】
従来、この種の杖用石突きとして、地面に接する石突き本体と、石突き本体と杖本体との間に介設された軸部材と、石突き本体と軸部材とを連結した連結部材（自在連結部材）と、を備えたものが知られている（特許文献１参照）。この連結部材は、石突き本体の中心軸から全方向に傾動（首振り）自在となるように、石突き本体と軸部材とを連結している。これにより、地面が傾斜している場合にも、石突き本体に対し杖本体を傾動させることで、石突き本体の接地面を地面に確実に当接させることができる。
【先行技術文献】
【特許文献】
【０００３】
【特許文献１】実用新案登録第３１１４５７７号公報
【考案の概要】
【考案が解決しようとする課題】
【０００４】
しかしながら、このような構成では、石突本体と軸部材とが全方向に傾動自在に連結されているので、荷重方向が、石突き本体の中心軸から少しでもずれていると、杖本体が若干首振りする。その結果、体重の支持は十分に安定しているものの、使用者が感覚として不安定感を覚えてしまう場合がある。
【０００５】
本考案は、杖本体を傾動自在な石突き本体において、感覚として高い安定感を与えることができる杖用石突きおよびこれを備えた杖を提供することを課題としている。
【課題を解決するための手段】
【０００６】
本考案の杖用石突きは、取っ手を有する杖本体に装着され、取っ手に合わせて前後方向が規定される杖用石突きであって、地面に直接接する石突き本体と、杖本体の先端に装着されると共に、石突き本体に対し前後方向のみに傾動自在に連結された軸部材と、を備え、石突き本体は、前後方向に沿って並んだ複数の接面部の組を、杖本体を中心として左右両側に有したことを特徴とする。
【０００７】
この場合、石突き本体は、左右一対の内側面部と、左右方向の水平軸を中心とする断面円弧状の底面部と、を備えた係合凹部を有し、軸部材は、左右一対の内側面部にそれぞれ当接する左右一対の外側面部と、底面部に相補的形状を成す断面円弧状の下面部と、を備えた係合凸部を有することが好ましい。
【０００８】
これらの構成によれば、前後方向に傾動自在な構成である一方、杖本体から左右寄りに荷重がかかると、石突き本体に対し杖本体が傾動（首振り）せずに、当該荷重が、軸部材および石突き本体を介して、左右一方の複数の接面部にかかる。その結果、当該複数の接面部によって、２点以上で体重を支持することができ、使用者に安定感を与えることができる。このように、使用者は、荷重の調整や、杖本体の向きを変えることで、首振りさせることも、高い安定感を得ることもできる。よって、杖本体を傾動自在としつつ、感覚として高い安定感を与えることができる。なお、ここにいう「地面」とは、広義の地面であり、狭義の地面は元より、路面や床面を含む概念である。
【０００９】
また、軸部材の最大傾動角度を、一定の角度に規制する傾動規制部を、さらに備え、傾動規制部は、係合凹部の周縁部と、係合凸部の上端部に突設されたフランジ部と、により構成されていることが好ましい。
【００１０】
この場合、傾動規制部は、軸部材の最大傾動角度を、８°以上１２°以下までの一定角度に規制することが好ましい。
【００１１】
これらの構成によれば、一定の角度の傾動に伴って、係合凸部のフランジ部が、石係合凹部の周縁部に当接し、傾動を規制する。これにより、軸部材に装着された杖本体が、歩行時に必要以上に傾動することがなくなるため、杖本体が過度に傾くことによる危険性を排除することができる。
【００１２】
一方、軸部材の傾動を許容しつつ、石突き本体および軸部材を連結する連結部材を、さらに備え、連結部材は、係合凹部の底面部に倣った断面円弧状に形成された湾曲プレートと、底面部に形成された逃げ開口に挿通されると共に、湾曲プレートを、係合凸部との間で係合凹部を挟持するように軸部材に着脱自在に連結する連結ピンと、を有することが好ましい。
【００１３】
この構成によれば、連結ピンは、係合凹部との間に挟み込むように軸部材に連結した湾曲プレートにより、上方に抜け止め状態となっている。このため、石突き本体に対し、軸部材が上方に引き離されることがない。さらに、連結ピンは、湾曲プレートを軸部材に着脱自在に連結しているため、その連結を解除することにより、軸部材と石突き本体とを容易に分解することができる。したがって、連結部分に入り込んだ砂粒等を容易に取り除くことができる。
【００１４】
この場合、連結ピンは、軸部材の軸心に貫通する軸孔に挿通されており、連結部材は、軸部材と連結ピンとの間に設けられ、軸部材を受けとして、連結ピンを引き付ける方向に付勢するばね部材を、さらに有することが好ましい。
【００１５】
この構成によれば、ばね部材により、軸部材を受けとして連結ピンが引き付けられることで、連結ピンを介して、石突き本体と軸部材とが適度に引き付け合うことになる。したがって、石突き本体の係合凹部と、軸部材の係合凸部との接合具合を、適度な状態に維持することができ、適切に石突き本体と軸部材とを相対的に首振りさせることができる。
【００１６】
本考案の杖は、上記の杖用石突きと、先端部が、杖用石突きに装着された杖本体と、を備えたことを特徴とする。
【００１７】
この構成によれば、杖本体を傾動自在とし且つ高い安定感を与える石突き本体を用いることで、ユーザビリティの高い杖を提供することができる。
【図面の簡単な説明】
【００１８】
【図１】本実施形態に係る杖の側面図である。
【図２】杖用石突きの側面図（ａ）および正面図（ｂ）である。
【図３】軸部材の側面図（ａ）および正面図（ｂ）である。
【図４】杖用石突きの側面視断面図（ａ）および正面視断面図（ｂ）である。
【図５】杖用石突きの底面図である。
【図６】傾動時における杖の側面図である。
【考案を実施するための形態】
【００１９】
以下、添付の図面を参照して、本考案に係る杖用石突きを適用した杖の一実施形態について説明する。この杖は、杖本体に杖用石突きを装着して成る歩行補助用の多点杖である。特に、この杖は、杖用石突きの石突き本体に対し杖本体が傾動する首振り構造を有すると共に、当該首振り構造および石突き本体の接面構造によって、安定感を向上したものである。なお、本実施形態では、杖本体および杖用石突きの前後方向および左右方向は、取っ手に合わせて規定されている。
【００２０】
図１に示すように、杖１は、取っ手７を有する杖本体２と、杖本体２の下端部に装着された杖用石突き３と、を備えている。杖本体２は、ロッド状のシャフト６と、シャフト６の上端部に取り付けられた取っ手７とを有している。
【００２１】
取っ手７は、樹脂等で構成され、使用者が握る部分となる把持部１１と、シャフト６（後述の上シャフト２１）の上端部を差し込むための取付凹部（図示省略）を形成した差込部１２とで一体に形成されている。
【００２２】
シャフト６は、入れ子式の構造を有した伸縮シャフトである。具体的には、シャフト６は、上端部に取っ手７が取り付けられる円筒状の上シャフト２１と、下端部に杖用石突き３が取り付けられると共に、上シャフト２１にスライド自在に挿入される円筒状の下シャフト２２と、上シャフト２１と下シャフト２２とを接続する接続部材２３と、を有している。上シャフト２１および下シャフト２２は、アルミ等の金属製のものであり、接続部材２３は、樹脂等で構成されている。
【００２３】
上シャフト２１の下半部は、複数の長さ調整孔２６が長さ方向（上下方向）に等間隔で列設されている。一方、下シャフト２２の上端部近傍には、係合孔（図示省略）が形成されていると共に、係合孔からばね力等により係合ピン２７が突出している。すなわち、上シャフト２１に対し下シャフト２２をスライドして、上シャフト２１の長さ調整孔２６のうちの任意の長さ調整孔２６に対し、係合ピン２７を臨ませることで、その長さ調整孔２６に係合ピン２７が係合する。これにより、シャフト６の長さを調整することができる。
【００２４】
また、下シャフト２２の下端部近傍には、左方向に延在する装着孔２８が形成されている。そして、下シャフト２２の下端部を、後述の杖用石突き３の軸部材３２の装着円柱部４５に嵌合させた状態で、下シャフト２２の装着孔２８と、軸部材３２に形成されたねじ孔５５（図２参照）とを合わせ、この装着孔２８およびねじ孔５５の小ねじ（図示省略）を通してねじ止めすることで、杖本体２の石突き３が装着されるようになっている。
【００２５】
図１および図２に示すように、杖用石突き３は、歩行路面（地面）Ａに直接接する石突き本体３１と、杖本体２の先端に装着されると共に、石突き本体３１と杖本体２との間に介設された軸部材３２と、石突き本体３１と軸部材３２とを連結した連結部材３３（図４参照）と、を備えている。軸部材３２は、石突き本体３１に対し前後方向のみに傾動自在（首振り自在）に連結されている。
【００２６】
図２および図３に示すように、軸部材３２は、アルミ等の金属製（鋳物）であり、石突き本体３１に係合する係合凸部４１と、係合凸部４１の上端部外周面に突設されたフランジ部４２と、フランジ部４２の上端に連なり、上側に山形を成す山形部４３と、環状の外周段部４４を介して山形部４３の上端に連なり、下シャフト２２の下端部に嵌合する略円柱状の装着円柱部４５とを有し、これら各部が一体として形成されている。
【００２７】
また、図３に示すように、軸部材３２には、後述の連結ピン１０１を挿通するための軸孔５１が軸心に貫通形成されている。軸孔５１は、軸部材３２（装着円柱部４５）の上端側に開放された太径部５２と、環状の内周段部５３を介して太径部５２の下端に連なり、軸部材３２（係合凸部４１）の下端側に開放された細径部５４とから成っている。この太径部５２に、後述の連結部材３３の圧縮コイルばね１０４が収容されると共に、内周段部５３に圧縮コイルばね１０４が支持されるようになっている。
【００２８】
図１および図３に示すように、装着円柱部４５には、上記の下シャフト２２の下端部が嵌合し、下シャフト２２の下端部が外周段部４４の上面に当接するようになっている。さらに、装着円柱部４５の上下方向略中間部には、軸孔５１の細径部５４から左方向に連なるねじ孔５５が形成されている。そして、上述したように、このねじ孔５５と、下シャフト２２の装着孔２８とを合わせ、小ねじにより固定することで、杖本体２に石突き３が装着されるようになっている。
【００２９】
図２および図３に示すように、フランジ部４２は、石突き本体３１の中心軸Ｂと軸部材３２の軸心とが一致する（石突き本体３１に対して直立状態）時に、石突き本体３１の対面部分（後述の係合凹部６４の上側周縁部６４ａ）と間隙を存して平行に対峙するようになっている。詳細は後述するが、このフランジ部４２が、石突き本体３１に当接することで、杖本体２の傾動を一定の角度に規制している。
【００３０】
図２および図４に示すように、石突き本体３１は、歩行路面Ａと接する接地面を有した４個の接面部材（接面部）６１と、４個の接面部材６１に支持されると共に、係合凹部６４を形成した凹部形成体６２と、凹部形成体６２の下側開口部を塞ぐように取り付けられるカバープレート６３と、を有している。
【００３１】
図４に示すように、カバープレート６３は、ステンレス等の金属板で構成されている。そして、カバープレート６３は、後述の凹部形成体６２の嵌合凹部７２に下方から嵌め込まれ、ねじ止めされることで、凹部形成体６２の下側開口部に取り付けられる。これにより、カバープレート６３は、凹部形成体６２の内部を閉塞する蓋体として機能する。
【００３２】
凹部形成体６２は、アルミ等の金属製（鋳物）であり、平面視略四角形状で且つ縦断面視「Ｍ」字状の略三角ドーム形状を有している。凹部形成体６２の上部には、当該上部から下方に突出するように、係合凹部６４が形成されている。当該係合凹部６４が、軸部材３２の係合凸部４１に係合することで、石突き本体３１に対し軸部材３２が傾動自在に係合する。また、係合凹部６４の前後に隣接してドーム形状部から下向きに突設した前後一対の補強突起６５が設けられている。
【００３３】
また、凹部形成体６２の下面には、４個の接面部材６１を取り付けるための４個の円形取付部７１と、カバープレート６３を取り付けるための嵌合凹部７２が形成されている。
【００３４】
図４および図５に示すように、４個の接面部材６１は、それぞれ合成ゴム等により形成されており、下向きの円錐台形に成して円形の接地面を有している。そして、４個の接面部材６１は、前後方向に沿って並んだ２個の接面部材６１の組を、杖本体２を中心として左右両側にねじ止め固定されている。すなわち、４個の接面部材６１は、前後左右の４か所に離間して配設されている。
【００３５】
ここで図３および図４を参照して、石突き本体３１と軸部材３２との連結構造の詳細について説明する。具体的には、軸部材３２の係合凸部４１、石突き本体３１の係合凹部６４、連結部材３３について順に説明する。図３に示すように、軸部材３２の係合凸部４１は、下向きの半球体に対し、上端部を除く左右を切り欠いた形状を成している。すなわち、係合凸部４１は、上端部に形成された略円板形の円板部８１と、円板部８１から下向きに突出した略半円柱形の半円柱部８２と、を有している。半円柱部８２は、左右一対の外側面部８３と、左右方向の水平軸を中心とした断面円弧状の下面部８４とを有している。なお、厳密には、図３（ｂ）に示すように、下面部８４は、前後方向から見た形状についても、前後方向の水平軸を中心とした断面円弧状に形成されている。
【００３６】
一方、石突き本体３１の係合凹部６４は、係合凸部４１の半円柱部８２に対し相補的な形状を成している。すなわち、係合凹部６４は、左右一対の外側面部８３にそれぞれに当接する左右一対の内側面部９１と、下面部８４と相補的形状を成す断面円弧状の底面部９２とを備えている。これら係合凸部４１および係合凹部６４の形状により、これらを係合した結果、石突き本体３１に対し軸部材３２の左右方向の傾動が規制されると共に、石突き本体３１に対し軸部材３２が前後方向に傾動自在に係合する。また、係合凹部６４の底面部９２には、連結部材３３が傾動を許容しつつ、石突き本体３１および軸部材３２を連結するための連結ピン１０１の逃げ開口９３が形成されている。逃げ開口９３は、前後方向を長手方向とする長円形の長孔で形成されている。
【００３７】
連結部材３３は、係合凹部６４の逃げ開口９３および軸部材３２の軸孔５１に挿通される連結ピン１０１と、連結ピン１０１の頭部１１１と係合凹部６４との間に係合凹部６４を挟持された湾曲プレート１０２と、連結ピン１０１の先端（軸部材３２の上方）に螺合する２個の六角ナット１０３と、軸部材３２と六角ナット１０３との間に介設された圧縮コイルばね（ばね部材）１０４（図２参照）と、を備えている。
【００３８】
湾曲プレート１０２は、ステンレス等の金属板で構成されており、係合凹部６４の底面部９２に倣った断面円弧状に形成されている。また、湾曲プレート１０２の中心部には、連結ピン１０１を挿通する挿通孔１０５が形成されている。湾曲プレート１０２は、挿通孔１０５を挿通した連結ピン１０１の頭部１１１と、係合凹部６４との間に挟持されている。
【００３９】
連結ピン１０１は、湾曲プレート１０２の下面に座面が当接する頭部１１１と、頭部１１１に連なり、湾曲プレート１０２の挿通孔１０５、係合凹部６４の逃げ開口９３、および軸部材３２の軸孔５１に挿通される胴部１１２とから構成されている。連結ピン１０１の胴部１１２は、湾曲プレート１０２の挿通孔１０５と略同径に形成されており、軸部材３２の挿通孔１０５に挿通され、その先端部は、軸孔５１の上端部から露出している。また、胴部１１２の先端部には、２個の六角ナット１０３を螺合するための雄ねじ１１３が形成されている。連結ピン１０１は、湾曲プレート１０２を、係合凸部４１との間で係合凹部６４を挟持するように軸部材３２に着脱自在に連結する。よって、連結ピン１０１は、湾曲プレート１０２により、上方に抜け止め状態となっている。
【００４０】
圧縮コイルばね１０４は、軸部材３２における軸孔５１の太径部５２にその下半部が収容されると共に、内周段部５３に支持されるようになっている。杖用石突き３を組み立てる時には、この圧縮コイルばね１０４に抗して、連結ピン１０１の先端部から２個の六角ナット１０３を螺合する。その結果、圧縮コイルばね１０３は、軸部材３２（内周段部５３）を受けとして、２個の六角ナット１０３を介して連結ピン１０１を引き付ける方向（上方向）に付勢している。
【００４１】
このような構成により、連結ピン１０１は、２個の六角ナット１０３および圧縮コイルばね１０３を介して、湾曲プレート１０２を軸部材３２に着脱自在に連結した構成となる。一方、軸部材３２の傾動に伴う連結ピン１０１の傾動は、逃げ開口９３により許容されるため、連結部材３３は、軸部材３２の傾動を許容しつつ、石突き本体３１および軸部材３２を連結する。
【００４２】
また、上述したように、石突き本体３１の中心軸Ｂと軸部材３２の軸心とが一致する時に、軸部材３２のフランジ部４２と、係合凹部６４の上側周縁部（周縁部）６４ａとが間隙を存して平行に対峙するようになっている。この構成により、軸部材３２が前後方向に一定の角度（１０°）だけ傾動した場合に、フランジ部４２が上側周縁部６４ａと当接する。よって、軸部材３２およびこれを装着した杖本体２の最大傾動角度が、前後方向に一定の角度に規制される。すなわち、傾動規制部は、フランジ部４２および上側周縁部６４ａにより、構成されている。
【００４３】
以上のような構成によれば、石突き本体３１に対し軸部材３２が前後方向に傾動自在に連結された構造により、石突き本体３１に対し杖本体２が前後方向に傾動可能となる（図１および図６参照）。そのため、水平面、斜面に関わらず、石突き本体３１の接地面を地面に確実に当接させることができる。また、前後方向に傾動自在な構成である一方、杖本体２から左右寄りに荷重がかかると、石突き本体３１に対し杖本体２が傾動（首振り）せずに、当該荷重が、石突き本体３１および軸部材３２を介して、左右一方の２個の接面部材６１にかかる。その結果、当該２個の接面部材６１によって、２点で体重を支持することができ、使用者に安定感を与えることができる。このように、使用者は、荷重の調整や、杖本体２の向きを変えることで、首振りさせることも、高い安定感を得ることもできる。よって、杖本体２を傾動自在としつつ、感覚として高い安定感を与えることができる。
【００４４】
また、フランジ部４２および係合凹部６４の上側周縁部６４ａにより、軸部材３２の最大傾動角度を、一定の角度に規制することで、軸部材３２に装着された杖本体２が、歩行時に必要以上に傾動することがなくなるため、杖本体２が過度に傾くことによる危険性を排除することができる。
【００４５】
さらに、連結部材３３により、石突き本体３１および軸部材３２を連結することで、石突き本体３１に対し、軸部材３２が上方に引き離されることがない。さらに、連結ピン１０１は、湾曲プレート１０２を軸部材３２に着脱自在に連結しているため、その連結を解除することにより、石突き本体３１と軸部材３２とを容易に分解することができる。したがって、連結部分に入り込んだ砂粒等を容易に取り除くことができる。
【００４６】
またさらに、軸部材３２を受けとして、連結ピン１０１を引き付ける方向に付勢する圧縮コイルばね１０４を有することにより、圧縮コイルばね１０４により、軸部材３２を受けとして連結ピン１０１が引き付けられるため、連結ピン１０１を介して、石突き本体３１と軸部材３２とが適度に引き付け合うことになる。したがって、石突き本体３１の係合凹部６４と、軸部材３２の係合凸部４１との接合具合を、適度な状態に維持することができ、適切に石突き本体３１と軸部材３２とを相対的に首振りさせることができる。
【００４７】
なお、本実施形態においては、傾動規制部を、フランジ部４２と上側周縁部６４ａとにより構成したが、傾動規制部を、湾曲プレート１０２と、係合凹部６４の下側周縁部６４ｂ（図４（ａ）参照）とにより構成しても良い。すなわち、軸部材３２が前後方向に一定の角度だけ傾動した場合に、湾曲プレート１０２が下側周縁部６４ｂに当接して、軸部材３２の傾動を規制する構成であっても良い。ひいては、フランジ部４２および上側周縁部６４ａと、湾曲プレート１０２および下側周縁部６４ｂとの両構成により、軸部材３２の傾動を規制する構成であっても良い。
【００４８】
また、本実施形態においては、軸部材３２の最大傾動角度を、１０°としたが、８°以上１２°以下であれば、これに限るものではない。
【符号の説明】
【００４９】
１：杖、  ２：杖本体、  ３：杖用石突き、  ７：取っ手、  ３１：石突き本体、  ３２：軸部材、  ３３：連結部材、  ４１：係合凸部、  ４２：フランジ部、  ５１：軸孔、  ６１：接面部材、  ６４：係合凹部、  ６４ａ：上側周縁部、  ８３：外側面部、  ８４：下面部、  ９１：内側面部、  ９２：底面部、  １０１：連結ピン、  １０２：湾曲プレート、  １０４：圧縮コイルばね、  Ａ：歩行路面
【図１】
0003182126.tif 000003
【図２】
0003182126.tif 000004
【図３】
0003182126.tif 000005
【図４】
0003182126.tif 000006
【図５】
0003182126.tif 000007
【図６】
0003182126.tif 000008